(57)【要約】【課題】ユーザ毎により適切な点灯時間を決定する。【解決手段】電子機器１０は操作部１１と表示部１２と制御部１４とを有する。制御部１４は、表示部１２を点灯させる制御と操作部１１の操作に基づき表示部１２に別の画像部分を新出させる制御とを行う。制御部１４は画像部分の新出の速さに基づいて表示部１２の点灯時間を決定する。【選択図】図１
2016184001.tif 000002
【特許請求の範囲】
【請求項１】
操作部と、
表示部と、
前記表示部を点灯させる制御と、前記操作部の操作に基づき、前記表示部に別の画像部分を新出させる制御とを行う制御部と
を備え、
前記制御部は、前記画像部分の新出の速さに基づいて、前記表示部の点灯時間を決定する
電子機器。
【請求項２】
請求項１に記載の電子機器において、前記制御部は、
前記表示部にページ単位で前記画像部分を新出させ、
ページが変わる速さを前記新出の速さとする
ことを特徴とする電子機器。
【請求項３】
請求項１に記載の電子機器において、前記制御部は、
前記表示部に行単位で前記画像部分を新出させ、
行が変わる速さを前記新出の速さとする
ことを特徴とする電子機器。
【請求項４】
請求項１に記載の電子機器において、前記制御部は、
前記表示部の所定範囲内の文字が変わる速さを前記新出の速さとする
ことを特徴とする電子機器。
【請求項５】
操作部と、
表示部と、
前記表示部を点灯させる制御と、事前に設定された速さで前記表示部に別の画像部分を新出させる制御とを行う制御部と
を備え、
前記制御部は、前記画像部分の新出の速さに基づいて、最後の画像部分を表示させるときの前記表示部の点灯時間を決定する
電子機器。
【請求項６】
操作部と、
表示部と、
前記表示部を点灯させる制御と、前記操作部の操作に基づき、前記表示部に表示させる表示領域を表示オブジェクト全体の中で変更させる制御とを行う制御部とを備え、
前記制御部は前記表示領域を変更する時間間隔に基づいて、前記表示部の点灯時間を決定する
電子機器。
【発明の詳細な説明】
【技術分野】
【０００１】
本発明は、電子機器に関するものである。
【背景技術】
【０００２】
タッチパネルは、キーレイアウトの自由度の高さや、直感的な操作が可能であることなど多くの利点を有している。このため、近年、タッチパネルが搭載された電子機器（ タッチパネル式の電子機器） が急激に増加している。タッチパネル式の電子機器としては、例えば、スマートフォン、タブレット、ノートパソコン、ＰＤＡ（Personal Digital Assistant）、携帯電話端末、携帯音楽プレイヤー等がある。このようなタッチパネル式の電子機器は、一般的に、使用の利便性を図るために表示部（例えば、ディスプレイ）を点灯させる機能を備えている。
【０００３】
従来、表示部の点灯時間は予め一定値に設定されることが多く、この場合、ユーザがメールや電子書籍を読んでいる最中に、表示部が消灯してしまうことがある。表示部が消灯すると、ユーザは、何らかの操作（例えば、点灯キーの押下）を行い、表示部を再度点灯させなければならず、この操作は面倒である。
【０００４】
そのため、表示部に表示されている文字数に応じて、表示部の点灯時間を制御する技術が提案されている（例えば、特許文献１ 参照）。特許文献１の装置は、表示部に表示されている文字数を計数し、文字数と１文字あたりの点灯時間とを乗算することにより、点灯時間を決定する。つまり、特許文献１は、表示されている文字数と、それらの文字をユーザが読み取るために必要な時間とが比例するとみなしている。
【先行技術文献】
【特許文献】
【０００５】
【特許文献１】特開平１１−１０２１７３号公報
【発明の概要】
【発明が解決しようとする課題】
【０００６】
しかし、文字を読み取る速さ、つまり読解速度は、ユーザに応じて異なるものである。そのため、点灯時間が文字数に応じて決定されても、ユーザの読解速度が速い場合は、ユーザが文字を読み終わった後にも表示部が点灯し続けることになる。無駄な点灯時間により、無駄な電力消費が発生してしまう。また、ユーザの読解速度が遅い場合は、ユーザが文字を読み終わる前に、表示部が消灯してしまい、ユーザは不便さを感じることになる。
【０００７】
従って、上記のような従来技術の問題点に鑑みてなされた本発明の目的は、ユーザ毎により適切な点灯時間を決定できる電子機器を提供することにある。
【課題を解決するための手段】
【０００８】
上述した諸課題を解決すべく、第１の観点による電子機器は、
操作部と、
表示部と、
前記表示部を点灯させる制御と、前記操作部の操作に基づき、前記表示部に別の画像部分を新出させる制御とを行う制御部と
を備え、
前記制御部は、前記画像部分の新出の速さに基づいて、前記表示部の点灯時間を決定する
ことを特徴とするものである。
【０００９】
また、第２の観点による電子機器においては、前記制御部は、
前記表示部にページ単位で前記画像部分を新出させ、
ページが変わる速さを前記新出の速さとする
ことが好ましい。
【００１０】
また、第３の観点による電子機器においては、前記制御部は、
前記表示部に行単位で前記画像部分を新出させ、
行が変わる速さを前記新出の速さとする
ことが好ましい。
【００１１】
また、第４の観点による電子機器においては、前記制御部は、
前記表示部の所定範囲内の文字が変わる速さを前記新出の速さとする
ことが好ましい。
【００１２】
また、第５の観点による電子機器は、
操作部と、
表示部と、
前記表示部を点灯させる制御と、事前に設定された速さで前記表示部に別の画像部分を新出させる制御とを行う制御部と
を備え、
前記制御部は、前記画像部分の新出の速さに基づいて、最後の画像部分を表示させるときの前記表示部の点灯時間を決定する
ことを特徴とするものである。
【００１３】
また、第６の観点による電子機器は、
操作部と、
表示部と、
前記表示部を点灯させる制御と、前記操作部の操作に基づき、前記表示部に表示させる表示領域を表示オブジェクト全体の中で変更させる制御とを行う制御部とを備え、
前記制御部は前記表示領域を変更する時間間隔に基づいて、前記表示部の点灯時間を決定する
ことを特徴とするものである。
【発明の効果】
【００１４】
上記のように構成された本発明に係る電子機器によれば、ユーザ毎により適切な点灯時間を決定可能である。
【図面の簡単な説明】
【００１５】
【図１】本発明の一実施形態に係る電子機器の概略構成を示す機能ブロック図である。
【図２】図１の電子機器において、ページ送り機能を実行中の、表示部に別の画像部分を新出させる状態の前後を示す説明図である。
【図３】図１の電子機器において、行送り機能を実行中の、表示部に別の画像部分を新出させる状態の前後を示す説明図である。
【図４】図１の電子機器において、拡大表示送り機能を実行中の、表示部に別の画像部分を新出させる状態の前後を示す説明図である。
【図５】図１の制御部が実行する、手動操作による表示処理を説明するためのフローチャートである。
【図６】図１の制御部が実行する、自動送りの表示処理を説明するためのフローチャートである。
【発明を実施するための形態】
【００１６】
以下、本発明を適用した電子機器の実施形態について、図面を参照して説明する。
【００１７】
図１に示すように、本発明の一実施形態に係る電子機器１０は、操作部１１、表示部１２、記憶部１３、および制御部１４を含んで、構成される。電子機器１０は、例えば、スマートフォン、タブレット、ＰＤＡ、携帯電話端末、携帯音楽プレイヤー、ノートパソコンなどである。
【００１８】
操作部１１は、例えば、タッチパネル、またはボタンなどの機械的なキーなどであり、ユーザの操作を検出する。本実施形態においては、操作部１１は、表示部１２の上に積層配置されるタッチパネルである。操作部１１は、検出した操作をデータとして制御部１４に送信する。
【００１９】
表示部１２は、例えば、液晶ディスプレイ、有機ＥＬディスプレイであり、バックライトとして用いる光源または発光素子を有する。表示部１２は、制御部１４によって、当該光源または発光素子の点灯、および各画素における出射光量が制御されることにより、多様な画像を表示する。
【００２０】
記憶部１３は、例えば、ＲＡＭおよびＲＯＭなどを含み、制御部１４に特定の機能を実行させる、例えば、アプリケーションに対応する特定のプログラム、ならびにメールなどのテキストデータ、および電子書籍に対応するデータを格納する。
【００２１】
制御部１４は、例えば専用のマイクロプロセッサにより構成され、特定のプログラムを読込むことにより特定の機能を実行する汎用のＣＰＵである。制御部１４は、電子機器１０を構成する機器の動作を制御する。例えば、制御部１４は、表示部１２に所望の画像を表示するときに、表示部１２を点灯させる。また、制御部１４は、メール管理および書籍ビューアなどのアプリケーションに対応するプログラムにより、例えば記憶部１３に記憶されたメールおよび電子書籍の画像を表示部１２に表示させる。
【００２２】
また、制御部１４は、当該アプリケーションの実行中に、操作部１１の操作、例えば表示部１２の特定の領域をタップする操作等に基づき、表示部１２に別の画像部分を新出させる。詳細に説明すると、制御部１４は、１通のメールまたは１冊の電子書籍などの単位表示オブジェクト全体の中で、表示部１２に表示させる表示領域を、表示中の位置から別の位置に切替える。また、制御部１４は、別の画像部分の新出において、現在表示中の画像部分に含まれる文章等に続く文章を、別の画像部分に含ませる。
【００２３】
操作部１１の操作に基づく別の画像部分の新出方法としては、例えば、ページ単位で新たな画像部分を新出させるページ送り、行単位で新たな画像部分を新出させる行送り、拡大表示する部分単位で新たな画像部分を新出させる拡大表示送り等が挙げられる。制御部１４は、実行中のアプリケーションによって定められた新出方法、あるいは、ユーザによる操作部１１の操作により選択された新出方法にしたがって、新たな画像部分の新出を行う。
【００２４】
また、制御部１４は、事前に設定された速さで、表示部１２に別の画像部分を自動的に新出させる自動送り機能を実行することも可能である。例えば、制御部１４は、ページ単位、行単位、および拡大表示する部分単位を画像部分として、設定した時間が経過する度に、別の画像部分を表示部１２に新出させる。制御部１４は、自動送り機能における別の画像部分を新出させる速さを設定する操作を検出するとき、当該速さを記憶部１３に記憶させる。
【００２５】
また、制御部１４は、表示部１２の点灯時間を決定し、任意の画像部分を表示部１２で表示開始した後、決定した点灯時間が経過すると表示部１２を消灯させる。すなわち、点灯時間は、表示部１２の点灯開始時または別の画像部分の新出時を基準として、点灯から消灯に切替えさせる時を定める時間である。
【００２６】
制御部１４は、実行中のアプリケーションによって定められた時間、またはユーザによる操作部１１の操作により選択された時間を、点灯時間として決定する。さらには、制御部１４は、メールまたは電子書籍などにおける文字の表示中には、表示中の文字の数に応じた時間、または別の画像部分の新出の速さに基づく時間を、点灯時間として決定する。別の画像部分の新出の速さとは、表示する画像部分を切替える速さであって、例えば、本実施形態では、任意の画像部分を新出させてから、次の画像部分を新出させるまでの時間である。
【００２７】
また、制御部１４は、自動送り機能を実行している状態において、例えば、１通のメールまたは１作の電子書籍の最終ページなどの最後の画像部分を新出させるときには、別の画像部分を新出させる速さ、すなわち事前に設定された速さに基づく時間を、点灯時間として決定する。
【００２８】
次に、制御部１４が行なう点灯時間の決定を、書籍ビューアを起動させて１冊の電子書籍を表示部１２に表示させる状態を例として、以下に詳細に説明する。
【００２９】
最初に、書籍ビューアが有するページ送り機能を実行させるときの点灯時間の決定を説明する。書籍ビューアを起動させ、記憶部１３に記憶させた電子書籍を開く操作をユーザが行うとき、当該電子書籍の第１ページが、表示部１２に表示される。または、電子書籍を開く操作をユーザが行うとき、前回最後に開いたページが、表示部１２に表示されてもよい。制御部１４は、電子書籍の第１ページを開く時からの経過時間の計時を始める。
【００３０】
表示部１２への表示とともに、制御部１４は、例えば、書籍ビューアにおいて予め定められた時間、例えば２０秒を点灯時間に決定する。または、制御部１４は、最初に表示するページ内の文字数をカウントし、例えば０．５秒／文字数などの単位時間を、カウントした文字数に乗じることにより算出した時間を点灯時間に決定する。
【００３１】
制御部１４は、当該ページの表示開始後からの経過時間が、操作部１１への何れかの操作が検出されること無く決定した点灯時間を越えた後、表示部１２を消灯させる。
【００３２】
制御部１４は、図２（ａ）に示すように、当該ページの表示開始後から第２ページを新出させる操作（表示部１２の左端近傍のタップ）を操作部１１が検出するまで、の経過時間を、別の画像部分（ページ）を新出させる速さとして、記憶部１３に記憶させる。また、同時に、図２（ｂ）に示すように、制御部１４は第２ページを新出させ、経過時間の計時を始める。
【００３３】
表示部１２への表示とともに、制御部１４は、記憶部１３に記憶した別の画像部分を新出させる速さに基づいて、所定の計算式で計算した時間を点灯時間に決定する。制御部１４は、例えば、記憶部１３に記憶した別の画像部分を新出させる速さ、即ち、直前のページの表示開始後から現在のページを表示するまでの経過時間を、点灯時間に決定する。または、制御部１４は、記憶部１３に記憶した別の画像部分を新出させる速さに、所定の係数を乗じた時間、または所定の調整時間を加算または減算した時間を、点灯時間に決定してもよい。さらには、制御部１４は、記憶部１３に記憶した別の画像部分を新出させる速さに、直前の画像部分からの文字数の変動率、すなわち（別の画像部分における文字数）／（直前の画像部分における文字数）を乗じた時間を、点灯時間に決定してもよい。
【００３４】
以後、制御部１４は、新たにページを表示する毎に、操作部１１への操作に応じた別の画像部分を新出させる速さの記憶を行う。第３ページの表示以降においては、点灯時間の計算に、複数の、別の画像部分を新出させる速さが用いられてもよい。例えば、制御部１４が、記憶部１３に、過去ｘ回分の別の画像部分の新出時の速さを記憶し、記憶した複数の速さの平均値、および重み付け平均値などを用いてもよい。
【００３５】
次に、書籍ビューアが有する行送り機能を実行させるときの点灯時間の決定を説明する。書籍ビューアを起動させ、記憶部１３に記憶させた電子書籍を開く操作をユーザが行うとき、当該電子書籍の第１ページが、表示部１２に表示される。または、電子書籍を開く操作をユーザが行うとき、前回最後に表示した行が、表示部１２に表示されてもよい。制御部１４は、電子書籍の第１ページを開く時からの経過時間の計時を始める。
【００３６】
制御部１４は、点灯時間を決定する。
【００３７】
行送り機能の実行時には、制御部１４は、図３（ａ）に示すように、現在表示されているページの最終行の表示開始後から現在表示されているページの最終行の次の行を新出させる操作（表示部１２の左端近傍のタップ）を操作部１１が検出するまで、の経過時間を、別の画像部分（行）を新出させる速さとして、記憶部１３に記憶させる。また、同時に、図３（ｂ）に示すように、制御部１４は当該次の行を新出させ、経過時間の計時を始める。
【００３８】
以後、制御部１４は、行送り機能の実行時においても、ページ送り機能と同様に、新たに行を表示する毎に、操作部１１への操作に応じた別の画像部分を新出させる速さの記憶を行う。
【００３９】
次に、書籍ビューアが有する拡大表示送り機能を実行させるときの点灯時間の決定を説明する。書籍ビューアを起動させ、記憶部１３に記憶させた電子書籍を開く操作をユーザが行うとき、当該電子書籍の第１ページが、表示部１２に表示される。第１ページが表示されている状態で、図４（ａ）に示すように、拡大して表示する所定の範囲の位置を指定する操作を操作部１１が検出すると図４（ｂ）に示すように、当該所定の範囲が拡大されて表示部１２に表示される。制御部１４は、指定した所定の範囲を拡大して表示する時からの経過時間の計時を始める。
【００４０】
制御部１４は、点灯時間を決定する。
【００４１】
行送り機能の実行時には、制御部１４は、図４（ｂ）に示すように、現在拡大表示されている画像部分の表示開始後から現在拡大表示されている画像部分に続く、（例えば縦書きであれば下方、横書きであれば右方）画像部分を新出させる操作を操作部１１が検出するまで、の経過時間を、別の画像部分を新出させる速さとして、記憶部１３に記憶させる。また、同時に、図４（ｃ）に示すように、制御部１４は当該次の画像部分を新出させ、経過時間の計時を始める。
【００４２】
以後、制御部１４は、拡大表示送り機能の実行時においても、ページ送り機能と同様に、新たに続く画像部分を表示する毎に、操作部１１への操作に応じた別の画像部分を新出させる速さの記憶を行う。
【００４３】
次に、書籍ビューアが有する、自動送り機能を実行させるときの点灯時間の決定を説明する。書籍ビューアを起動させ、記憶部１３に記憶させた電子書籍を開く操作をユーザが行うとき、当該電子書籍の第１ページが、表示部１２に表示される。第１ページを表示中に操作部１１がユーザによる自動送り機能を開始させる操作を検出するとき、自動送りを開始する。自動的に別の画像部分を新出させる速さの設定は、電子書籍の表示前でも表示中でも、操作部１１へのユーザの操作により変更可能である。制御部１４は、設定された別の画像部分を新出させる速さに基づいて、点灯時間を決定する。なお、前述のページ送り機能における点灯時間の決定方法において、記憶部１３に記憶した別の画像部分を新出させる速さを、別の画像部分を新出させる速さに設定しても良い。
【００４４】
制御部１４は、自動送りの実行中、表示部１２の点灯を維持し、電子書籍の最終ページに到達するまで、別の画像部分を新出させ続ける。制御部１４は、電子書籍の最終ページに到達した時に、到達時からの経過時間の計時を始める。制御部１４は、到達時からの経過時間が、設定した点灯時間を越えた後、表示部１２を消灯させる。
【００４５】
次に、本実施形態において制御部１４が実行する、手動操作による表示処理について、図５のフローチャートを用いて説明する。手動操作による表示処理とは、操作部１１の操作に基づいて別の画像部分を新出させるときの表示処理であって、例えば、上述のページ送り、行送り、および拡大表示送りのいずれにおいても実行される。制御部１４は、メール管理および書籍ビューアなどの、表示オブジェクトを表示するアプリケーションを起動し、特定の表示オブジェクトを選択する操作を検出するとき、手動操作による表示処理を開始する。また、制御部１４は、当該アプリケーションを閉じるときに、表示処理を終了する。
【００４６】
ステップＳ１００において、制御部１４は、選択した表示オブジェクトに相当するデータを記憶部１３から読出す。データの読出し後、プロセスはステップＳ１０１に進む。
【００４７】
ステップＳ１０１では、制御部１４は、起動しているアプリケーションにおいて予め定められた方法で、点灯時間を決定する。点灯時間の決定後、プロセスはステップＳ１０２に進む。
【００４８】
ステップＳ１０２では、制御部１４は、ステップＳ１００で読出したデータに基づいて、画像を表示し、画像の表示開始からの経過時間の計時を開始する。計時を開始すると、プロセスはステップＳ１０３に進む。
【００４９】
ステップＳ１０３では、制御部１４は、何れかの操作を操作部１１が検出しているか否かを判別する。何れかの操作を検出していないときには、プロセスはステップＳ１０３に戻り、当該操作を検出するまでステップＳ１０３を繰返し、待機状態となる。操作を検出しているときは、プロセスはステップＳ１０４に進む。
【００５０】
ステップＳ１０４では、制御部１４は、ステップＳ１０３において検出した操作が別の画像部分を新出させる操作であるか否かを判別する。当該別の画像部分を新出させる操作であるときには、プロセスはステップＳ１０５からＳ１１１をスキップして、ステップＳ１１２に進む。当該操作を検出していないときには、プロセスはステップＳ１０５に進む。
【００５１】
ステップＳ１０５では、制御部１４は、ステップＳ１０２で計時を開始した経過時間が、ステップＳ１０１または、後述するステップＳ１１３において決定した点灯時間以上であるか否かを判別する。経過時間が点灯時間未満であるときには、プロセスはステップＳ１０３に戻る。経過時間が点灯時間以上であるときには、プロセスはステップＳ１０６に進む。
【００５２】
ステップＳ１０６では、制御部１４は、表示部１２を消灯し、経過時間の計時を中断する。計時の中断後、プロセスはステップＳ１０７に進む。
【００５３】
ステップＳ１０７では、制御部１４は、ステップＳ１０３と同様に、何れかの操作を操作部１１が検出しているか否かを判別する。何れかの操作を検出していないときは、プロセスはステップＳ１０７に戻り、当該操作を検出するまでステップＳ１０７を繰返し、待機状態となる。表示部１２を点灯させる操作を検出するとき、プロセスはステップＳ１０８に進む。
【００５４】
ステップＳ１０８では、制御部１４は、表示部１２を再点灯し、中断した経過時間の計時を再開する。計時の再開後、プロセスはステップＳ１０９に進む。
【００５５】
ステップＳ１０９では、制御部１４は、ステップＳ１０３と同様に、何れかの操作を操作部１１が検出しているか否かを判別する。何れかの操作を検出していないときには、プロセスはステップＳ１０９に戻り、当該操作を検出するまでステップＳ１０９を繰返し、待機状態となる。操作を検出しているときは、プロセスはステップＳ１１０に進む。
【００５６】
ステップＳ１１０では、制御部１４は、ステップＳ１０４と同様に、ステップＳ１０９において検出した操作が別の画像部分を新出させる操作であるか否かを判別する。当該操作を検出しているときには、プロセスはステップＳ１１２に進む。当該操作を検出していないときには、プロセスはステップＳ１１１に進む。
【００５７】
ステップＳ１１１では、制御部１４は、ステップＳ１０８で計時を再開後の経過時間が、ステップＳ１０２または、後述するステップＳ１１３において決定した点灯時間以上であるか否かを判別する。経過時間が点灯時間未満であるときには、プロセスはステップＳ１０９に戻る。経過時間が点灯時間以上であるときには、プロセスはステップＳ１０６に戻る。
【００５８】
ステップＳ１０４またはステップＳ１１０において、検出した操作が別の画像部分を新出させる操作であるとき進むステップＳ１１２では、制御部１４は、別の画像部分を表示部１２に新出させる。また、制御部１４は、別の画像部分を新出させる速さを記憶部１３に記憶させる。当該速さを記憶させると、プロセスはステップＳ１１３に進む。
【００５９】
ステップＳ１１３では、制御部１４は、ステップＳ１１２において記憶部１３に記憶させた別の画像部分を新出させる速さを読出し、当該速さに基づいて、点灯時間を決定する。点灯時間の決定後、プロセスはステップＳ１１４に進む。
【００６０】
ステップＳ１１４では、制御部１４は、計時中の経過時間をゼロにリセットする。リセット後、プロセスはステップＳ１１５に進む。
【００６１】
ステップＳ１１５では、制御部１４は、別の画像部分の表示開始からの経過時間の計時を開始する。計時を開始すると、プロセスはステップＳ１０３に戻る。
【００６２】
次に、本実施形態において制御部１４が実行する、自動送りの表示処理について、図６のフローチャートを用いて説明する。自動送りの表示処理とは、事前に設定された速さで、表示部１２に別の画像部分を自動的に新出させるときの表示処理である。制御部１４は、メール管理および書籍ビューアなどの、表示オブジェクトを表示するアプリケーションを起動し、特定の表示オブジェクトを選択する操作を検出するとき、自動送りの表示処理を開始する。また、制御部１４は、当該アプリケーションを閉じるときに、表示処理を終了する。
【００６３】
ステップＳ２００において、制御部１４は、選択した表示オブジェクトに相当するデータを記憶部１３から読出す。データの読出し後、プロセスはステップＳ２０１に進む。
【００６４】
ステップＳ２０１では、制御部１４は、自動送り機能における設定された速さに相当するデータを、記憶部１３から読出す。データの読出し後、プロセスはステップＳ２０２に進む。
【００６５】
ステップＳ２０２では、制御部１４は、ステップＳ２０１で読出した速さに基づいて、点灯時間を決定する。点灯時間の決定後、プロセスはステップＳ２０３に進む。
【００６６】
ステップＳ２０３では、制御部１４は、自動送り機能を開始させる操作を操作部１１が検出しているか否かを判別する。当該操作が検出されていないときは、プロセスはステップＳ２０３に戻り、当該操作を検出するまでステップＳ２０３を繰返し、待機状態となる。当該操作が検出されているときは、プロセスはステップＳ２０４に進む。
【００６７】
ステップＳ２０４では、制御部１４は、自動送り機能を実行し、ステップＳ２０１で読出した速さで、表示部１２に別の画像部分を新出させる。自動送り機能を実行すると、プロセスはステップＳ２０５に進む。
【００６８】
ステップＳ２０５では、制御部１４は、表示中の表示オブジェクトの最後の画像部分が表示されているか否かを判別する。最後の画像部分が表示されていないときは、プロセスはステップＳ２０５に戻り、最後の画像部分が表示されるまでステップＳ２０５を繰返し、待機状態となる。最後の画像部分が表示されているときは、プロセスはステップＳ２０６に進む。
【００６９】
ステップＳ２０６では、制御部１４は、最後の画像部分の表示開始からの経過時間の計時を開始する。計時を開始すると、プロセスはステップＳ２０７に進む。
【００７０】
ステップＳ２０７では、制御部１４は、ステップＳ２０６で計時を開始した経過時間が、ステップＳ２０２において決定した点灯時間以上であるか否かを判別する。経過時間が点灯時間未満であるときには、プロセスはステップＳ２０７に戻り、最後の画像部分が表示されるまでステップＳ２０７を繰返し、待機状態となる。経過時間が点灯時間以上であるときには、プロセスはステップＳ２０８に進む。
【００７１】
ステップＳ２０８では、制御部１４は、表示部１２を消灯し、その後、自動送りの表示処理を終了する。
【００７２】
以上のような構成の本実施形態の電子機器によれば、操作部１１の操作による別の画像部分を新出させる速さに基づいて、表示部１２の点灯時間が決定される。当該速さは、ユーザが画像部分を読む速さに応じて変動することが好ましく、点灯時間をユーザの読解速度に応じた時間に近付けることが可能となる。したがって、ユーザ毎により適切な点灯時間を決定可能となる。
【００７３】
本発明を諸図面や実施例に基づき説明してきたが、当業者であれば本開示に基づき種々
の変形や修正を行うことが容易であることに注意されたい。従って、これらの変形や修正
は本発明の範囲に含まれることに留意されたい。
【符号の説明】
【００７４】
１０  電子機器
１１  操作部
１２  表示部
１３  記憶部
１４  制御部
【図１】
2016184001.tif 000003
【図２】
2016184001.tif 000004
【図３】
2016184001.tif 000005
【図４】
2016184001.tif 000006
【図５】
2016184001.tif 000007
【図６】
2016184001.tif 000008